【手続補正書】
【提出日】平成22年10月19日(2010.10.19)
【手続補正１】
【補正対象書類名】特許請求の範囲
【補正対象項目名】全文
【補正方法】変更
【補正の内容】
【特許請求の範囲】
【請求項１】
ディジタルコンテンツの管理を提供する方法であって、
ユーザ生成コンテンツを検査するステップと、
前記ユーザ生成コンテンツに関連したリファレンスコンテンツを同定するステップと、
前記リファレンスコンテンツに関連した使用ポリシーを特定するステップと、
前記使用ポリシーを前記ユーザ生成コンテンツに適用するステップと、
を具備した方法。
【請求項２】
前記ユーザ生成コンテンツを受け取るステップが、関連したメタデータを受け取ることをさらに含む請求項1に記載の方法。
【請求項３】
前記関連したメタデータが、前記ユーザ生成コンテンツについての記述を含む請求項2に記載の方法。
【請求項４】
前記関連したメタデータが、前記ユーザ生成コンテンツのタイトルを含む請求項2に記載の方法。
【請求項５】
前記関連したメタデータが、少なくとも1つのキーワードを含む請求項2に記載の方法。
【請求項６】
前記ユーザ生成コンテンツは、オーディオコンテンツを含む請求項1に記載の方法。
【請求項７】
前記ユーザ生成コンテンツは、ビデオコンテンツを含む請求項1に記載の方法。
【請求項８】
前記ユーザ生成コンテンツは、オーディオコンテンツおよびビデオコンテンツを含む請求項1に記載の方法。
【請求項９】
前記ユーザ生成コンテンツは、静止画像を含む請求項1に記載の方法。
【請求項１０】
前記リファレンスコンテンツを同定するステップが、前記ユーザ生成コンテンツの指紋を前記リファレンスコンテンツの指紋と比較することをさらに含む請求項1に記載の方法。
【請求項１１】
前記リファレンスコンテンツを同定するステップが、前記ユーザ生成コンテンツに埋め込まれた電子透かしをリファレンスコンテンツについて指定された認識済みの電子透かしと比較することをさらに請求項1に記載の方法。
【請求項１２】
前記リファレンスコンテンツを同定するステップが、前記ユーザ生成コンテンツの暗号ハッシュ関数を前記リファレンスコンテンツのハッシュと比較する請求項1に記載の方法。
【請求項１３】
前記ハッシュ関数がMD5ハッシュである請求項12に記載の方法。
【請求項１４】
前記検査されるユーザ生成コンテンツがアップロードされたコンテンツである請求項1に記載の方法。
【請求項１５】
前記検査されるユーザ生成コンテンツが既にアップロードされているコンテンツである請求項1に記載の方法。
【請求項１６】
前記ユーザ生成コンテンツを第1のファイルタイプから第2のファイルタイプに変換するステップをさらに具備した請求項1に記載の方法。
【請求項１７】
前記リファレンスコンテンツが、該リファレンスコンテンツのオーナーによって提供される請求項1に記載の方法。
【請求項１８】
前記ユーザ生成コンテンツを受け取るステップが、前記ユーザ生成コンテンツのプロバイダが該ユーザ生成コンテンツのオーナーによって該ユーザ生成コンテンツを提供することが許可されている旨の証明を受け取ることをさらに含む請求項1に記載の方法。
【請求項１９】
前記リファレンスコンテンツが、該リファレンスコンテンツのオーナー以外のエンティティによって提供される請求項1に記載の方法。
【請求項２０】
前記使用ポリシーは、前記ユーザ生成コンテンツが視聴されてよいことを明示するものである請求項1に記載の方法。
【請求項２１】
前記使用ポリシーは、前記ユーザ生成コンテンツの視聴が追跡されるべきことを明示するものである請求項20に記載の方法。
【請求項２２】
前記使用ポリシーは、前記ユーザ生成コンテンツが視聴されてはならないことを明示するものである請求項1に記載の方法。
【請求項２３】
前記使用ポリシーは、前記ユーザ生成コンテンツが除去されるべきことを明示するものである請求項1に記載の方法。
【請求項２４】
前記使用ポリシーは、前記ユーザ生成コンテンツが補償と交換に視聴されるべきことを明示するものである請求項1に記載の方法。
【請求項２５】
前記補償の一部は、前記リファレンスコンテンツのオーナーに提供される請求項24に記載の方法。
【請求項２６】
前記補償の一部は、前記ユーザ生成コンテンツのプロバイダに提供される請求項24に記載の方法。
【請求項２７】
前記補償の一部は、前記ユーザ生成コンテンツが視聴のために掲載されるホスティングサイトに提供される請求項24に記載の方法。
【請求項２８】
前記ユーザ発生コンテンツに関連したリファレンスコンテンツを同定するステップが、
前記同定が正確であるという可能性を自動的に判定するステップと、
判定された前記可能性がしきい値より低い場合、前記ユーザ発生コンテンツのインディシアを前記リファレンスコンテンツのオーナーに提供するステップと、
前記同定が正確であるか否かの指示を前記リファレンスコンテンツのオーナーから受け取るステップと、
を更に具備する請求項1に記載の方法。
【請求項２９】
前記指示は前記同定が正確であることを示し、前記使用ポリシーを前記ユーザ発生コンテンツに適用するステップが、前記同定されたリファレンスコンテンツに関連した使用ポリシーを適用することを含む請求項28に記載の方法。
【請求項３０】
前記指示は、前記同定が正確ではないことを示し、前記ユーザ発生コンテンツに関連した正しいリファレンスコンテンツの指示を含み、前記使用ポリシーを適用するステップが、前記正しいリファレンスコンテンツに関連した使用ポリシーを適用することを含む請求項28に記載の方法。
【請求項３１】
前記同定を示す報告を前記リファレンスコンテンツのオーナーに提供するステップをさらに具備した請求項1に記載の方法。
【請求項３２】
ディジタルコンテンツの管理を提供するためのコンテンツ管理システムであって、
ユーザ生成コンテンツを受け取るよう構成されたアップロードサーバと、
前記アップロードサーバに接続されていて、前記ユーザ生成コンテンツに関連したリファレンスコンテンツを同定するよう構成された同定モジュールと、
前記同定モジュールに接続されていて、前記リファレンスコンテンツに関連した使用ポリシーを特定するよう構成されたポリシーエンジンと、
前記ポリシーエンジンに接続されていて、前記使用ポリシーを前記ユーザ生成コンテンツに適用するよう構成されたパブリシャと、
を具備したシステム。
【請求項３３】
前記ユーザ生成コンテンツを第1のファイルタイプから第2のファイルタイプに変換するトランスコーダモジュールをさらに具備した請求項32に記載のシステム。
【請求項３４】
前記同定モジュールに接続されていて、リファレンスコンテンツを格納するよう構成されたリファレンスコンテンツデータベースをさらに具備した請求項32に記載のシステム。
【請求項３５】
前記同定モジュールに接続されていて、リファレンスコンテンツを受け取るよう構成された請求項32に記載のシステム。
【請求項３６】
前記同定モジュールに接続されていて、コンテンツオーナーによるユーザ生成コンテンツに対する請求に関連した、前記コンテンツオーナから受け取った指示を格納するよう構成された請求項32に記載のシステム。
【請求項３７】
前記パブリシャに接続されていて、前記ユーザ生成コンテンツを複数のユーザに提供するよう構成された請求項32に記載のシステム。
【請求項３８】
前記同定モジュールに接続されていて、前記ユーザ生成コンテンツに対する使用ポリシーの適用を示す報告を編集するレポートエンジンをさらに具備した請求項32に記載のシステム。
【請求項３９】
ディジタルコンテンツの提供に関連した収益を分配する方法であって、
ホストサイトにおいてプロバイダからユーザ生成コンテンツを受け取るステップと、
前記ユーザ生成コンテンツに関連したリファレンスコンテンツを同定するステップと、
前記ユーザ生成コンテンツと共に広告コンテンツを提供するステップであって、前記広告コンテンツを提供することが収益の受け取りをもたらすものと、
前記収益の第1の部分を前記プロバイダに、前記収益の第2の部分を前記ホストサイトに分配するステップと、
を具備した方法。
【請求項４０】
コンテンツ使用情報を提供する方法であって、
送り元からユーザ生成コンテンツのインディシアを受け取るステップと、
受け取った前記インディシアに関連したリファレンスコンテンツを同定するステップと、
前記リファレンスコンテンツについての使用ポリシーを特定するステップと、
前記使用ポリシーを前記送り元に提供するステップと、
を具備した方法。
【請求項４１】
ディジタルコンテンツの権利所有者に評価を与える方法であって、
ホストサイトにおいてプロバイダからユーザ生成コンテンツを受け取るステップと、
受け取った前記ユーザ生成コンテンツに関連したリファレンスコンテンツを同定するステップと、
権利所有者が前記ユーザ生成コンテンツについて販売促進というポリシーを示していると判定するステップと、
前記ユーザ生成コンテンツが表示されるのに応じて、前記権利所有者に販売促進機会を提供するステップと、
を具備した方法。
【請求項４２】
前記販売促進機会が、前記ユーザ生成コンテンツの隣に前記権利所有者の選択による広告を表示することである請求項1に記載の方法。
【請求項４３】
前記販売促進機会が、前記ユーザ生成コンテンツの前記ホストサイトにおける所望の配置を指示することである請求項1に記載の方法。
【請求項４４】
第三者サイトのディジタルコンテンツの管理を提供するためのコンテンツ管理システムであって、
第三者サイトからユーザ生成コンテンツの識別情報を受け取るよう構成された第三者入力サーバと、
前記第三者入力サーバに接続されていて、前記ユーザ生成コンテンツに関連したリファレンスコンテンツを同定するよう構成された同定モジュールと、
前記同定モジュールに接続されていて、前記リファレンスコンテンツに関連した使用ポリシーを特定するよう構成されたポリシーエンジンと、
前記ポリシーエンジンに接続されていて、前記使用ポリシーを前記第三者ウエブサイトに送るパブリシャと、
を具備したシステム。
【請求項４５】
前記パブリシャが、さらに、前記ユーザ生成コンテンツの識別情報を前記第三者ウエブサイトに送る請求項44に記載のシステム。
【請求項４６】
ユーザ生成コンテンツの管理を提供するために１以上のコンピュータシステムによって実行される方法であって、
メディアホストから提供された１つのユーザ生成コンテンツについての第1のディジタル指紋を、該メディアホストから受信するステップと、
前記提供された１つのユーザ生成コンテンツについての前記第1のディジタル指紋と第２のディジタル指紋とがマッチするかを判定するステップと、ここで、前記第２のディジタル指紋は、該第２のディジタル指紋に関連したユーザ生成コンテンツに対する権利を有するコンテンツ所有者によって提供されたものであり、
マッチすると判定された前記提供された１つのユーザ生成コンテンツに関連した使用ポリシーを決定するステップと、ここで、前記使用ポリシーは前記提供された１つのユーザ生成コンテンツの使用条件を含んでおり、
前記使用ポリシーを前記メディアホストに提供するステップと、
を具備した方法。